(57)【要約】【課題】  製造コストの高騰を抑制するとともに、立ち基板を確実に固定することが可能な立ち基板の固定構造を提供する。 【解決手段】  支持ケ−ス２０と一体的に形成されたリブ２０ｂに形成された凹部２０ｅに、立ち基板２３の上側端部が嵌合されることにより、立ち基板２３がリブ２０ｂに挟持されるため、立ち基板２３が前後左右に動くことなく立ち基板３２を堅固に固定することが可能となる。そのため、下側基板２２と立ち基板２３との接続部（コネクタ等）が離脱することを防止する可能となる。また、リブ２０ｂは、支持ケ−ス２０と一体的に形成されているため、立ち基板２３を固定するための部材を別途必要としないため、製造コストの高騰を抑制することが可能となる。【選択図】図３
2006156654.tif 000002
【特許請求の範囲】
【請求項１】
略平行となるように上下に配置された２つの基板の間に立ち基板を立設させて同立ち基板を固定するようにした立ち基板の固定構造を有するビデオ一体型テレビジョン装置において、
上側に配置される基板を支持する支持ケ−スに、上記立ち基板を嵌合して挟持するための凹部が形成されたリブが、同支持ケ−スと一体的に形成されているとともに、
上記上側に配置される基板には、上記立ち基板の一部が嵌合される嵌合孔が、同上側に配置される基板を上下に貫通するように形成されていることを特徴とするビデオ一体型テレビジョン装置。
【請求項２】
略平行となるように上下に配置された２つの基板の間に立ち基板を立設させて同立ち基板を固定するようにした立ち基板の固定構造において、
上側に配置される基板を支持する支持ケ−スに、上記立ち基板を挟持するためのリブが、同支持ケ−スと一体的に形成されていることを特徴とする立ち基板の固定構造。
【請求項３】
上記リブには、上記上側に配置される基板の厚さと略同一の幅を有する凹部が形成されており、
上記上側に配置される基板は、上記凹部に嵌合されることにより挟持されることを特徴とする請求項２に記載の立ち基板の固定構造。
【請求項４】
略平行となるように上下に配置された２つの基板の間に立ち基板を立設させて同立ち基板を固定するようにした立ち基板の固定構造において、
上側に配置される基板には嵌合孔が形成され、
上記立ち基板の一部が上記嵌合孔に嵌合されることにより同立ち基板が固定されることを特徴とする立ち基板の固定構造。
【請求項５】
上記嵌合孔は、上記上側に配置される基板を上下に貫通するように形成されていることを特徴とする請求項４に記載の立ち基板の固定構造。
【発明の詳細な説明】
【技術分野】
【０００１】
本発明は、上下に配置された２つの基板の間にに立ち基板を立設させて同立ち基板を固定するようにした立ち基板の固定構造、および、同立ち基板の固定構造を採用したビデオ一体型テレビジョン装置に関するものである。
【背景技術】
【０００２】
従来、上下に略平行となるように２枚の基板を配置させ、さらに、同２枚の基板の間に立ち基板を立設させるようにした基板の配置構造が知られている（例えば、特許文献１〜３参照）。このように基板を上下に配置させる配置構造を採用することにより、基板を配置するスペ−スを少なくすることができ、省スペ−ス化を図ることが可能となる。このような配置構造を採用する際には、立設する立ち基板を固定させ、同立ち基板が傾斜することに起因して下側の基板との接続部分（コネクタの接続部分等）が離脱してしまうこと等を防止することが行われている。
【特許文献１】特開平１１−２６９６２号公報
【特許文献２】特開平５−２９１７６６号公報
【特許文献３】特開２０００−６８６６８号公報
【発明の開示】
【発明が解決しようとする課題】
【０００３】
しかし、特許文献１、２に記載の基板の配置構造においては、立ち基板を固定するための部材が別途設けられているため、コスト高となってしまう問題がある。また、特許文献３に記載の基板の配置構造では、合成樹脂製のトップケ−スに立ち基板を挟持するためのリブを設けているのであるが、同トップケ−スと一体的に同リブを形成することにより、トップケ−スに凹み等が生じてしまう虞があり、また、同トップケ−スに外からの振動等が加わることにより、その振動がリブに挟持されている立ち基板にも伝わり、下側の基板との接続部分が離脱してしまうという問題がある。
【０００４】
本発明は、かかる実情に鑑み、製造コストの高騰を抑制するとともに、立ち基板を確実に固定することが可能な立ち基板の固定構造、および、同立ち基板の固定構造を採用したビデオ一体型テレビジョン装置を提供しようとするものである。
【課題を解決するための手段】
【０００５】
上記目的を達成するため、請求項２にかかる発明は、略平行となるように上下に配置された２つの基板の間に立ち基板を立設させて同立ち基板を固定するようにした立ち基板の固定構造において、
上側に配置される基板を支持する支持ケ−スに、上記立ち基板を挟持するためのリブが、同支持ケ−スと一体的に形成されている構成としてある。
【０００６】
上記のように構成した請求項２において、立ち基板の固定構造は、略平行となるように上下に配置された２つの基板の間に立ち基板を立設させ、同立ち基板を固定するように構成されている。立ち基板は、通常、下側の基板とコネクタ等により接続されている。
また、上側の基板は、支持ケ−スにより支持されている。この支持ケ−スに基板が支持されることにより、同基板は、下側の基板から所定距離をあけて、同下側の基板の上側に配置されることとなる。
そして、請求項２の発明にかかる立ち基板の固定構造は、上記支持ケ−スに、立ち基板を固定するためのリブが、同支持ケ−スと一体的に形成されている。このように構成することにより、立ち基板を固定するための部材を別途必要としないため、製造コストの高騰を抑制することが可能となる。また、上記リブは、外部からの衝撃が加わるトップケ−スと別体で、同トップケ−スの内部に形成されるため、外部から衝撃が加わっても、その衝撃がリブに伝播しない。その結果、立ち基板を安定して固定することが可能となる。
【０００７】
また、請求項３にかかる発明は、上記リブには、上記上側に配置される基板の厚さと略同一の幅を有する凹部が形成されており、
上記上側に配置される基板は、上記凹部に嵌合されることにより挟持される構成としてある。
上記のように構成した請求項３において、立ち基板の幅方向の全部を上記凹部に嵌合させることも可能であり、立ち基板をより安定化させることが可能となる。
【０００８】
さらに、請求項４にかかる発明は、略平行となるように上下に配置された２つの基板の間に立ち基板を立設させて同立ち基板を固定するようにした立ち基板の固定構造において、
上側に配置される基板には嵌合孔が形成され、
上記立ち基板の一部が上記嵌合孔に嵌合されることにより同立ち基板が固定される構成としてある。
【０００９】
上記のように構成した請求項４において、立ち基板の固定構造は、略平行となるように上下に配置された２つの基板の間に立ち基板を立設させ、同立ち基板を固定するように構成されている。立ち基板は、通常、下側の基板とコネクタ等により接続されている。
また、上側の基板には嵌合孔が形成されており、この嵌合孔に立ち基板の一部が嵌合されることにより、同立ち基板が固定されている。
このように構成することにより、立ち基板を固定するための部材を別途必要としないため、製造コストの高騰を抑制することが可能となる。また、トップケ−スに外部からの衝撃が加わっても、その内部に配置されている立ち基板には衝撃が伝播しないので、立ち基板を安定して固定することが可能となる。
【００１０】
さらに、請求項５にかかる発明は、上記嵌合孔が、上記上側に配置される基板を上下に貫通するように形成されている構成としてある。
上記のように構成した請求項５において、立ち基板の一部を上側の基板を貫通させて、立ち基板を固定させることが可能となるため、立ち基板をより安定化させることが可能となる。
【発明の効果】
【００１１】
本発明の請求項２にかかる発明では、製造コストの高騰を抑制することができるとともに、立ち基板を安定して固定することが可能となる。
請求項３にかかる発明では、立ち基板をより安定化させることが可能となる。
請求項４にかかる発明では、製造コストの高騰を抑制することができるとともに、立ち基板を安定して固定することが可能となる。
請求項５にかかる発明では、立ち基板をより安定化させることが可能となる。
【発明を実施するための最良の形態】
【００１２】
以下、下記の順序に従って本発明の実施形態を説明する。
（１）第一の実施形態：
（２）第二の実施形態：
（３）第三の実施形態：
（４）まとめ：
【００１３】
（１）第一の実施形態：
以下、本発明の実施形態について説明する。なお、以下においては、本発明の立ち基板の固定構造を、ビデオ一体型テレビジョン装置に適用する場合について説明するが、本発明の立ち基板の固定構造が適用される装置としては特に限定されるものではない。図１は、本発明にかかるビデオ一体型テレビジョン装置を示す斜視図である。なお、同図において、ビデオ一体型テレビジョン装置のトップケ−スを取り外し、内部の基板が見える状態を示している。同図において、ビデオ一体型テレビジョン装置１０のメイン基板１１の左側には、立ち基板２３を含む二階建ての基板部３０が設けられている。本実施形態においては、この基板部３０を構成する各基板には電源回路が形成されている。
【００１４】
基板部３０は、下側基板２２と、支持ケ−ス２０により支持されることにより、下側基板２２の上方にて下側基板２２と略平行に配置される上側基板２１と、上側基板２１および下側基板２２との間に立設された立ち基板２３とから構成されている。下側基板２２と立ち基板２３とは、コネクタ（図示せず）等により電気的に接続されている。また、支持ケ−ス２０は、下側基板２２を支持する支持部２４に形成された柱部２５に連結固定されており、これにより、支持ケ−ス２０に支持される上側基板２１の位置が固定されている。
【００１５】
図２は、図１に示したビデオ一体型テレビジョン装置の基板部における立ち基板の固定構造を示す断面図であり、図３は、図２のＡ−Ａ線断面図である。図２において、上側基板２１は、支持ケ−ス２０のトレイ部２０ａ上に載置されることにより支持されている。また、トレイ部２０ａの左側には、立ち基板２３を挟持するためのリブ２０ｂが、トレイ部２０ａと一体的に形成されている。また、柱部２５と連結固定される下側突出部２０ｃもトレイ部２０ａと一体的に形成されており、支持ケ−ス２０は、全体として一体となっている。この支持ケ−ス２０は、樹脂成形により製造することが可能である。
【００１６】
図３において、支持ケ−ス２０のトレイ部２０ａに形成されたリブ２０ｂには、凹部２０ｅが形成されおり、この凹部２０ｅに立ち基板２３の上端部が嵌合されることにより、立ち基板２３が挟持される。この凹部２０ｅは、立ち基板２３の厚さと略同一の幅を有しており、立ち基板２３が隙間無く嵌合されるのであるが、凹部２０ｅの幅を立ち基板２３の厚さよりも若干小さくし、立ち基板２３の両側がリブ２０ｂにより押圧されるようにして、立ち基板２３とリブ２０ｂとの連結部分を強固に固定するようにしてもよい。
【００１７】
上述したように第一の実施形態にかかるビデオ一体型テレビジョン装置１０の立ち基板の固定構造においては、支持ケ−ス２０と一体的に形成されたリブ２０ｂに形成された凹部２０ｅに、立ち基板２３の上側端部が嵌合されることにより、立ち基板２３がリブ２０ｂに挟持されるため、立ち基板２３が前後左右に動くことなく立ち基板３２を堅固に固定することが可能となる。そのため、下側基板２２と立ち基板２３との接続部（コネクタ等）が離脱することを防止する可能となる。また、リブ２０ｂは、支持ケ−ス２０と一体的に形成されているため、立ち基板２３を固定するための部材を別途必要としないため、製造コストの高騰を抑制することが可能となる。
【００１８】
（２）第二の実施形態：
図４は、第二の実施形態にかかる立ち基板の固定構造を示す断面図であり、図５は、図４のＢ−Ｂ線断面図である。図５において、上側基板１２１は、支持ケ−ス１２０のトレイ部１２０ａ上に載置されることにより支持されている。また、図５においては、立ち基板１２３を挟持するリブは形成されておらず、上側基板１２１を立ち基板１２３の一部が貫通することにより、立ち基板１２３が固定されている。すなわち、立ち基板１２３の上側先端部には、凸部１２３ａが形成されており、この凸部１２３ａが上側基板１２１を貫通するのである。
【００１９】
図５において、支持ケ−ス１２０のトレイ部１２０ａには、貫通孔１２０ｆが形成されている。この貫通孔１２０ｆは、凸部１２３ａ（図４参照）と略同じ横幅を有しているとともに、立ち基板１２３の厚さと略同じ縦幅を有している。また、上側基板１２１には、貫通孔１２０ｆと同じ横幅および縦幅を有している貫通孔１２１ａが形成されている。立ち基板１２３の凸部１２３ａは、これら貫通孔１２０ｆおよび貫通孔１２１ａに挿通されることにより、固定されている。
【００２０】
上述したように、第二の実施形態にかかる立ち基板の固定構造においては、支持ケ−ス１２０のトレイ部１２０ａに形成された貫通孔１２０ｆ、および、上側基板１２１に形成された貫通孔１２１ａを、立ち基板１２３の先端部に形成された凸部１２３ａが挿通することにより、立ち基板１２３が固定されているため、立ち基板２３が前後左右に動くことなく立ち基板３２を堅固に固定することが可能となる。また、立ち基板１２３を固定するための部材を別途必要としないため、製造コストの高騰を抑制することが可能となる。
【００２１】
第三の実施形態：
図６は、第三の実施形態にかかる立ち基板の固定構造を示す断面図であり、図７は、図６のＣ−Ｃ線断面図である。図６において、支持ケ−ス２２０のトレイ部２２０ａには、立ち基板２３を挟持するためのリブ２２０ｂが形成されている。また、立ち基板２２３の上側先端部には、凸部２２３ａが形成されており、この凸部２２３ａは、リブ２２０ｂ、トレイ部２２０ａおよび上側基板２２１を貫通している。
【００２２】
図７において、リブ２２０ｂには、立ち基板２２３を挟持するための凹部２２０ｅが形成されている。また、立ち基板２２３に形成された凸部２２３ａが挿通される部分は、トレイ部２２０ａの上面まで貫通する貫通孔２２０ｆが形成されている。この貫通孔２２０ｆは、凸部２２３ａ（図６参照）と略同じ横幅を有しているとともに、立ち基板２２３の厚さと略同じ縦幅を有している。また、上側基板２２１には、貫通孔２２０ｆと同じ横幅および縦幅を有している貫通孔２２１ａが形成されている。立ち基板２２３は、上部がリブ２２０ｂに形成された凹部２２０ｅに嵌合されて挟持されるとともに、上側端部に形成された凸部２２３ａが、トレイ部２２０ａに形成された貫通孔２２０ｆ、および、上側基板２２１に形成された貫通孔２２１ａに挿通されることにより固定されている。
【００２３】
上述したように、第三の実施形態にかかる立ち基板の固定構造においては、リブ２２０ｂに立ち基板２２３が挟持されて固定されるとともに、上側基板２２１に形成された貫通孔２２１ａに凸部２２３ａが挿通されることにより、上側基板２２１に立ち基板２２３に固定されている。すなわち、立ち基板２２３は、支持ケ−ス２２０と上側基板２２１とにより固定されているのである。このようにすることにより、立ち基板２２３をより堅固に固定することができ、立ち基板を安定化させることが可能となる。
（４）まとめ：
以上説明したように、第一の実施形態にかかるビデオ一体型テレビジョン装置１０の立ち基板の固定構造においては、支持ケ−ス２０と一体的に形成されたリブ２０ｂに形成された凹部２０ｅに、立ち基板２３の上側端部が嵌合されることにより、立ち基板２３がリブ２０ｂに挟持されるため、立ち基板２３が前後左右に動くことなく立ち基板３２を堅固に固定することが可能となる。そのため、下側基板２２と立ち基板２３との接続部（コネクタ等）が離脱することを防止する可能となる。また、リブ２０ｂは、支持ケ−ス２０と一体的に形成されているため、立ち基板２３を固定するための部材を別途必要としないため、製造コストの高騰を抑制することが可能となる。
【図面の簡単な説明】
【００２４】
【図１】第一の実施形態にかかるビデオ一体型テレビジョン装置の基板部分を示す斜視図である。
【図２】図１に示したビデオ一体型テレビジョン装置の基板部における立ち基板の固定構造を示す断面図である。
【図３】図２のＡ−Ａ線断面図である。
【図４】第二の実施形態にかかる立ち基板の固定構造を示す断面図である。
【図５】図４のＢ−Ｂ線断面図である。
【図６】第三の実施形態にかかる立ち基板の固定構造を示す断面図である。
【図７】図６のＣ−Ｃ線断面図である。
【符号の説明】
【００２５】
１０…ビデオ一体型テレビジョン装置
１１…メイン基板
２０、１２０、２２０…支持ケ−ス
２０ａ、１２０ａ、２２０ａ…トレイ部
２０ｂ、２２０ｂ…リブ
２０ｅ…凹部
１２０ｆ、２２０ｆ…貫通孔
２１、１２１、２２１…上側基板
２２、１２２、２２２…下側基板
２３、１２３、２２３…立ち基板
１２３ａ、２２３ａ…凸部
２４…支持部
２５…柱部
【図１】
2006156654.tif 000003
【図２】
2006156654.tif 000004
【図３】
2006156654.tif 000005
【図４】
2006156654.tif 000006
【図５】
2006156654.tif 000007
【図６】
2006156654.tif 000008
【図７】
2006156654.tif 000009